(57)【要約】【課題】隣り合う障子を連動可能な状態で係合させつつ、枠体に対して障子を簡単に建て込むこと。【解決手段】中障子に設けられた連動部材５０の誘導軸部材５４Ａは、軸部材本体９１と、軸部材本体９１から外周へ張出した張出部９２とにより構成される。外障子２３に設けられる受部材６０Ｒには、矩形状の保持部９３Ａと、保持部９３Ａから下方に向かって拡がる挿入部９３Ｂとからなる開口部９３が形成される。保持部９３Ａの寸法Ｕは、軸部材本体９１の外形寸法Ｓより大きく、かつ張出部９２の外形寸法Ｔより小さい。挿入部９３Ｂは、張出部９２の寸法より大きな寸法で形成される。誘導軸部材５４Ａを挿入部９３Ｂに挿入して、誘導軸部材５４Ａを保持部９３Ａ側へ移動するように中障子を持ち上げて枠体に入れこむと、軸部材本体９１が保持部９３Ａへ案内され、張出部９２が保持部９３Ａの周縁部の裏側に配置される。【選択図】  図９
2006104881.tif 000002
【特許請求の範囲】
【請求項１】
上枠、下枠、および左右の縦枠を四周枠組みした枠体に対して、上框、下框、および左右の竪框を四周框組みした框体を有する３枚以上の障子を摺動自在に取り付けた引戸であって、
当該引戸の見込方向に関して中間に配置される中障子には、当該中障子の両面からそれぞれ突出する第１および第２の軸部材と、これら第１および第２の軸部材を水平方向に変位可能に支持するとともに、一方の軸部材が水平方向に移動するのに応じて、他方の軸部材を前記一方の軸部材とは逆向きに移動させる連動機構とを有する連動部材が設けられ、
前記連動部材が取り付けられた中障子に隣り合う障子のうち、前記第１の軸部材が突出する面の側に配置された障子には、前記第１の軸部材を挿入するための開口部が設けられ、前記第２の軸部材が突出する面の側に配置された障子には、前記第２の軸部材を挿入するための開口部が設けられ、
前記第１および第２の軸部材の少なくとも一方の軸部材には、外周の少なくとも一部から外周側へ張り出した張出部が設けられ、
前記少なくとも一方の軸部材が挿入される開口部は、当該軸部材の前記張出部の外形寸法より大きな寸法の挿入部と、前記張出部の外形寸法より小さな寸法の保持部とにより構成され、
前記障子が建て込まれた状態で、前記少なくとも一方の軸部材は、対応する開口部の前記保持部を通って、前記張出部が前記保持部の縁部に係合することにより、当該軸部材が前記開口部から離脱不能となっていることを特徴とする引戸。
【請求項２】
上枠、下枠、および左右の縦枠を四周枠組みした枠体に対して、上框、下框、および左右の竪框を四周框組みした框体を有する３枚以上の障子を摺動自在に取り付けた引戸であって、
当該引戸の見込方向に関して中間に配置される中障子には、当該中障子の両面からそれぞれ突出する第１および第２の軸部材と、これら第１および第２の軸部材を水平方向に変位可能に支持するとともに、一方の軸部材が水平方向に移動するのに応じて、他方の軸部材を前記一方の軸部材とは逆向きに移動させる連動機構とを有する連動部材が設けられ、
前記連動部材が取り付けられた中障子に隣り合う障子のうち、前記第１の軸部材が突出する面の側に配置された障子には、前記第１の軸部材を挿入するための開口部が設けられ、前記第２の軸部材が突出する面の側に配置された障子には、前記第２の軸部材を挿入するための開口部が設けられ、
前記第１および第２の軸部材の少なくも一方の軸部材には、外周側の少なくとも一部に溝部が設けられ、
前記少なくとも一方の軸部材が挿入される開口部は、当該軸部材の最大外形寸法より大きな寸法の挿入部と、前記最大外形寸法よりも小さく、かつ前記溝部における外形寸法よりも大きな寸法の保持部とにより構成され、
前記障子が前記枠体に建て込まれた状態で、前記保持部の縁部が前記少なくとも一方の軸部材の前記溝部に入り込んで互いに係合することにより、当該軸部材が前記開口部から離脱不能となっていることを特徴とする引戸。
【請求項３】
上枠、下枠、および左右の縦枠を四周枠組みした枠体に対して、上框、下框、および左右の竪框を四周框組みした框体を有する３枚以上の障子を摺動自在に取り付けた引戸であって、
当該引戸の見込方向に関して中間に配置される中障子には、当該中障子の両面からそれぞれ突出する第１および第２の軸部材と、これら第１および第２の軸部材を水平方向に変位可能に支持するとともに、一方の軸部材が水平方向に移動するのに応じて、他方の軸部材を前記一方の軸部材とは逆向きに移動させる連動機構とを有する連動部材が設けられ、
前記連動部材が取り付けられた中障子に隣り合う障子のうち、前記第１の軸部材が突出する面の側に配置された障子には、前記第１の軸部材を挿入するための開口部が設けられ、前記第２の軸部材が突出する面の側に配置された障子には、前記第２の軸部材を挿入するための開口部が設けられ、
前記連動部材には、前記第１および第２の少なくともいずれかの軸部材を、対応する開口部に対して進退させる進退機構が設けられていることを特徴とする引戸。
【請求項４】
前記開口部は、障子に取り付けられた受部材に形成されていることを特徴とする請求項１〜３のいずれかに記載の引戸。
【請求項５】
上枠、下枠、および左右の縦枠を四周枠組みした枠体に対して、上框、下框、および左右の竪框を四周框組みした框体を有する３枚以上の障子を摺動自在に取り付けた引戸であって、
当該引戸の見込方向に関して中間に配置される中障子には、当該中障子の両面からそれぞれ突出する第１および第２の軸部材と、これら第１および第２の軸部材を水平方向に変位可能に支持するとともに、一方の軸部材が水平方向に移動するのに応じて、他方の軸部材を前記一方の軸部材とは逆向きに移動させる連動機構とを有する連動部材が設けられ、
前記連動部材が取り付けられた中障子に隣り合う障子のうち、前記第１の軸部材が突出する面の側に配置された障子には、前記第１の軸部材を挿入するための開口部が設けられ、前記第２の軸部材が突出する面の側に配置された障子には、前記第２の軸部材を挿入するための開口部が設けられ、
前記第１および第２の軸部材の少なくとも一方の軸部材には、外周の少なくとも一部から外周側へ張り出した張出部が設けられ、
前記少なくとも一方の軸部材が挿入される開口部は、当該軸部材の前記張出部の外形寸法より大きな寸法の挿入部と、前記張出部の外形寸法より小さな寸法の保持部とにより構成された引戸における障子の建て込み方法であって、
前記中障子またはこれに隣り合う障子の一方を前記枠体に建て込み、
他方の障子を、前記張出部を有する軸部材が対応する開口部の前記挿入部に挿入されるよう配置した後、当該他方の障子を、当該軸部材が前記保持部を通って前記張出部が前記保持部の縁部に係合することにより、当該軸部材が前記開口部から離脱不能となるように前記枠体に建て込むことを特徴とする障子の建て込み方法。
【請求項６】
上枠、下枠、および左右の縦枠を四周枠組みした枠体に対して、上框、下框、および左右の竪框を四周框組みした框体を有する３枚以上の障子を摺動自在に取り付けた引戸であって、
当該引戸の見込方向に関して中間に配置される中障子には、当該中障子の両面からそれぞれ突出する第１および第２の軸部材と、これら第１および第２の軸部材を水平方向に変位可能に支持するとともに、一方の軸部材が水平方向に移動するのに応じて、他方の軸部材を前記一方の軸部材とは逆向きに移動させる連動機構とを有する連動部材が設けられ、  前記連動部材が取り付けられた中障子に隣り合う障子のうち、前記第１の軸部材が突出する面の側に配置された障子には、前記第１の軸部材を挿入するための開口部が設けられ、前記第２の軸部材が突出する面の側に配置された障子には、前記第２の軸部材を挿入するための開口部が設けられ、
前記連動部材には、前記第１および第２の少なくとも一方の軸部材を、対応する開口部に対して進退させる進退機構が設けられた引戸における障子の建て込み方法であって、
前記中障子と、この中障子に隣り合う障子とを前記枠体内に建て込んだ後に、
前記少なくとも一方の軸部材と、対応する前記開口部とが正対するように、前記中障子および前記隣り合う障子の少なくともいずれか一方を移動させ、
前記進退機構により前記軸部材を前記開口部へと挿入することを特徴とする障子の建て込み方法。
【発明の詳細な説明】
【技術分野】
【０００１】
本発明は、引戸および障子の建て込み方法に関し、特に、隣り合う障子を係合させつつ、枠体に対して障子を簡単に建て込むことができる引戸および障子の建て込み方法に関する。
【背景技術】
【０００２】
従来より、例えば、室外と室内との間には、建物の開口部に取り付けられる枠体と、枠体に対して摺動自在に取り付けられる障子とを備える引戸が設けられることがある。前記障子としては、例えば、最も室外側の外障子と、最も室内側の内障子と、外障子および内障子の間に配置される中障子とを備えるものがある。そして、例えば特許文献１に示すように、このような複数枚の障子間には、これらの障子を連動して移動させることが可能な連動部材が設けられることがある。
【０００３】
特許文献１に示す連動部材は、中障子に取り付けられる本体と、本体の両端に取り付けられるリールと、これらのリール間に掛け渡されたワイヤと、ワイヤに固着されるとともに、見付方向に沿って移動可能な２つの軸部材とを備え、一方の軸部材が見付方向に沿って移動すると、これに伴って、他方の軸部材が一方の軸部材の移動方向とは反対方向に移動するようになっている。また、内障子および外障子には、前記２つの軸部材のいずれかが挿入される開口部が形成された受部材がそれぞれ設けられている。
このため、例えば、引戸を完全に閉じた状態で、外障子を固定しておき、内障子を外障子側へ摺動させると、内障子の摺動に伴って、中障子における内障子側の端部に位置する他方の軸部材が外障子側へと移動し、中障子における外障子側の端部に位置する一方の軸部材が外障子とは反対側に摺動し、これにより、内障子と中障子が連動して摺動する。
【特許文献１】特許第３０３５２２４号公報
【発明の開示】
【発明が解決しようとする課題】
【０００４】
しかしながら、前記引戸では、まず、外障子を枠体内に建て込んだ後、続いて、中障子を建て込む際に、中障子に設けられた軸部材を外障子に設けられた受部材の開口部に挿入する必要があるが、この場合、軸部材が見付方向に移動してしまって、軸部材と受部材との係合が煩雑で、障子が建て込みにくいという問題がある。
【０００５】
本発明の目的は、隣り合う障子を連動可能な状態で係合させつつ、枠体に対して障子を簡単に建て込むことができる引戸および障子の建て込み方法を提供することにある。
【課題を解決するための手段】
【０００６】
本発明は、上枠、下枠、および左右の縦枠を四周枠組みした枠体に対して、上框、下框、および左右の竪框を四周框組みした框体を有する３枚以上の障子を摺動自在に取り付けた引戸であって、当該引戸の見込方向に関して中間に配置される中障子には、当該中障子の両面からそれぞれ突出する第１および第２の軸部材と、これら第１および第２の軸部材を水平方向に変位可能に支持するとともに、一方の軸部材が水平方向に移動するのに応じて、他方の軸部材を前記一方の軸部材とは逆向きに移動させる連動機構とを有する連動部材が設けられ、前記連動部材が取り付けられた中障子に隣り合う障子のうち、前記第１の軸部材が突出する面の側に配置された障子には、前記第１の軸部材を挿入するための開口部が設けられ、前記第２の軸部材が突出する面の側に配置された障子には、前記第２の軸部材を挿入するための開口部が設けられ、前記第１および第２の軸部材の少なくとも一方の軸部材には、外周の少なくとも一部から外周側へ張り出した張出部が設けられ、前記少なくとも一方の軸部材が挿入される開口部は、当該軸部材の前記張出部の外形寸法より大きな寸法の挿入部と、前記張出部の外形寸法より小さな寸法の保持部とにより構成され、前記障子が建て込まれた状態で、前記少なくとも一方の軸部材は、対応する開口部の前記保持部を通って、前記張出部が前記保持部の縁部に係合することにより、当該軸部材が前記開口部から離脱不能となっていることを特徴とする。
【０００７】
本発明によれば、中障子またはこれに隣り合う障子の一方を枠体に建て込み、張出部が形成された軸部材を挿入部に挿入しつつ他方の障子を枠体内へ移動させると、挿入された軸部材が挿入部の縁部分に保持部へと案内されて、他方の障子が枠体に建て込まれた状態では、張出部が保持部の縁部裏側に配置され、これにより、中障子とこれに隣り合う障子とを簡単に係合させて離脱不能とすることができる。このため、隣り合う障子同士を連動部材により連動可能な状態で係合しつつ、枠体に対して障子を簡単に建て込むことができる。
【０００８】
また、張出部の厚みや形状等を調整することにより、隣り合う障子を互いに引き寄せ合う構成とすることができるため、障子の見込方向へのがたつきを抑えて、障子の耐風性を向上できる。
【０００９】
本発明は、上枠、下枠、および左右の縦枠を四周枠組みした枠体に対して、上框、下框、および左右の竪框を四周框組みした框体を有する３枚以上の障子を摺動自在に取り付けた引戸であって、当該引戸の見込方向に関して中間に配置される中障子には、当該中障子の両面からそれぞれ突出する第１および第２の軸部材と、これら第１および第２の軸部材を水平方向に変位可能に支持するとともに、一方の軸部材が水平方向に移動するのに応じて、他方の軸部材を前記一方の軸部材とは逆向きに移動させる連動機構とを有する連動部材が設けられ、前記連動部材が取り付けられた中障子に隣り合う障子のうち、前記第１の軸部材が突出する面の側に配置された障子には、前記第１の軸部材を挿入するための開口部が設けられ、前記第２の軸部材が突出する面の側に配置された障子には、前記第２の軸部材を挿入するための開口部が設けられ、前記第１および第２の軸部材の少なくも一方の軸部材には、外周側の少なくとも一部に溝部が設けられ、前記少なくとも一方の軸部材が挿入される開口部は、当該軸部材の最大外形寸法より大きな寸法の挿入部と、前記最大外形寸法よりも小さく、かつ前記溝部における外形寸法よりも大きな寸法の保持部とにより構成され、前記障子が前記枠体に建て込まれた状態で、前記保持部の縁部が前記少なくとも一方の軸部材の前記溝部に入り込んで互いに係合することにより、当該軸部材が前記開口部から離脱不能となっていることを特徴とする。
【００１０】
本発明によれば、中障子またはこれに隣り合う障子の一方を枠体に建て込み、溝部が形成された軸部材を挿入部に挿入しつつ他方の障子を枠体内へ移動させると、挿入された軸部材が挿入部の縁部分に保持部へと案内されて、他方の障子が枠体に建て込まれた状態では、保持部の縁部が溝部に入り込み、これにより、中障子とこれに隣り合う障子とを簡単に係合させさせて離脱不能とすることができる。このため、隣り合う障子同士を連動部材により連動可能な状態で係合しつつ、枠体に対して障子を簡単に建て込むことができる。
【００１１】
また、溝部の寸法や形状等を調整することにより、隣り合う障子を互いに引き寄せ合う構成とすることができて、障子の見込方向へのがたつきを抑えて、障子の耐風性を向上できる。
【００１２】
本発明は、上枠、下枠、および左右の縦枠を四周枠組みした枠体に対して、上框、下框、および左右の竪框を四周框組みした框体を有する３枚以上の障子を摺動自在に取り付けた引戸であって、当該引戸の見込方向に関して中間に配置される中障子には、当該中障子の両面からそれぞれ突出する第１および第２の軸部材と、これら第１および第２の軸部材を水平方向に変位可能に支持するとともに、一方の軸部材が水平方向に移動するのに応じて、他方の軸部材を前記一方の軸部材とは逆向きに移動させる連動機構とを有する連動部材が設けられ、前記連動部材が取り付けられた中障子に隣り合う障子のうち、前記第１の軸部材が突出する面の側に配置された障子には、前記第１の軸部材を挿入するための開口部が設けられ、前記第２の軸部材が突出する面の側に配置された障子には、前記第２の軸部材を挿入するための開口部が設けられ、前記連動部材には、前記第１および第２の少なくともいずれかの軸部材を、対応する開口部に対して進退させる進退機構が設けられていることを特徴とする。
【００１３】
本発明によれば、中障子と、この中障子と隣り合う障子とを枠体内に建て込んだ後に、軸部材と、対応する開口部とが正対するように、中障子および隣り合う障子の少なくともいずれか一方を移動させ、進退機構により軸部材を開口部側へ挿入するだけで、連動部材の軸部材と、隣り合う障子の開口部とを簡単に係合できる。このため、隣り合う障子同士を連動部材により連動可能な状態で係合しつつ、枠体に対して障子を簡単に建て込むことができる。
【００１４】
以上の引戸において、前記開口部は、障子に取り付けられた受部材に形成されていることとしてもよい。
【００１５】
本発明は、上枠、下枠、および左右の縦枠を四周枠組みした枠体に対して、上框、下框、および左右の竪框を四周框組みした框体を有する３枚以上の障子を摺動自在に取り付けた引戸であって、当該引戸の見込方向に関して中間に配置される中障子には、当該中障子の両面からそれぞれ突出する第１および第２の軸部材と、これら第１および第２の軸部材を水平方向に変位可能に支持するとともに、一方の軸部材が水平方向に移動するのに応じて、他方の軸部材を前記一方の軸部材とは逆向きに移動させる連動機構とを有する連動部材が設けられ、前記連動部材が取り付けられた中障子に隣り合う障子のうち、前記第１の軸部材が突出する面の側に配置された障子には、前記第１の軸部材を挿入するための開口部が設けられ、前記第２の軸部材が突出する面の側に配置された障子には、前記第２の軸部材を挿入するための開口部が設けられ、前記第１および第２の軸部材の少なくとも一方の軸部材には、外周の少なくとも一部から外周側へ張り出した張出部が設けられ、前記少なくとも一方の軸部材が挿入される開口部は、当該軸部材の前記張出部の外形寸法より大きな寸法の挿入部と、前記張出部の外形寸法より小さな寸法の保持部とにより構成された引戸における障子の建て込み方法であって、前記中障子またはこれに隣り合う障子の一方を前記枠体に建て込み、他方の障子を、前記張出部を有する軸部材が対応する開口部の前記挿入部に挿入されるよう配置した後、当該他方の障子を、当該軸部材が前記保持部を通って前記張出部が前記保持部の縁部裏側に係合することにより、当該軸部材が前記開口部から離脱不能となるように前記枠体に建て込むことを特徴とする。
【００１６】
本発明は、上枠、下枠、および左右の縦枠を四周枠組みした枠体に対して、上框、下框、および左右の竪框を四周框組みした框体を有する３枚以上の障子を摺動自在に取り付けた引戸であって、当該引戸の見込方向に関して中間に配置される中障子には、当該中障子の両面からそれぞれ突出する第１および第２の軸部材と、これら第１および第２の軸部材を水平方向に変位可能に支持するとともに、一方の軸部材が水平方向に移動するのに応じて、他方の軸部材を前記一方の軸部材とは逆向きに移動させる連動機構とを有する連動部材が設けられ、前記連動部材が取り付けられた中障子に隣り合う障子のうち、前記第１の軸部材が突出する面の側に配置された障子には、前記第１の軸部材を挿入するための開口部が設けられ、前記第２の軸部材が突出する面の側に配置された障子には、前記第２の軸部材を挿入するための開口部が設けられ、前記連動部材には、前記第１および第２の少なくとも一方の軸部材を、対応する開口部に対して進退させる進退機構が設けられた引戸における障子の建て込み方法であって、前記中障子と、この中障子に隣り合う障子とを前記枠体内に建て込んだ後に、前記少なくとも一方の軸部材と、対応する前記開口部とが正対するように、前記中障子および前記隣り合う障子の少なくともいずれか一方を移動させ、前記進退機構により前記軸部材を前記開口部へと挿入することを特徴とする。
【発明の効果】
【００１７】
本発明によれば、隣り合う障子を連動部材により連動可能な状態で係合させつつ、枠体に対して障子を簡単に建て込むことができるという効果がある。
【発明を実施するための最良の形態】
【００１８】
［第１実施形態］
以下、本発明の第１実施形態に係る引戸について図面を参照して説明する。
図１，図２に示すように、引戸１は、３枚の障子２１〜２３を有する三連戸として構成されている。また、図３，図４に示すように、引戸１は、建物２の室内とテラス等の室外との間の開口部２Ａに取り付けられる枠体１０と、枠体１０に対して摺動自在に取り付けられる障子２０と、障子２０の室外側に設けられた網戸３０とを備えている。
【００１９】
枠体１０は、上枠１１と、下枠１２と、左右の縦枠１３とを四周枠組みして構成されている。図３，図４に示すように、各枠１１〜１３は、室内外の２つのアルミ押出し形材間に加締あるいは注入により樹脂部１４が構成され、室内外間の断熱性能を高めている。具体的には、各枠１１〜１３は、樹脂部１４が、後述する内障子２１と中障子２２との間に位置するように構成されている。なお、各枠１１〜１３は、アルミ押出し形材のみで構成したものや、アルミと樹脂の複合材料で構成したもの、樹脂のみで構成したもの等としてもよい。
【００２０】
図３，図４に示すように、障子２０は、最も室外側に配置される第１の障子としての外障子２３と、最も室内側に配置される第２の障子としての内障子２１と、内障子２１と外障子２３との間に配置される中障子２２とを備えている。なお、本実施形態において、外障子２３は、閉じた状態で摺動しないように縦枠１３に固定されている。各障子２１〜２３は、上框２４、下框２５、および左右の竪框２６が四周框組みされた框体２７と、框体２７内に組み込まれる面材としての複層ガラス２８とを備えている。なお、面材は、複層ガラス２８以外のガラスや、ガラス以外の材質のもの等としてもよい。
【００２１】
図４に示すように、内障子２１では、図中左側に示す竪框２６が戸先框２１１となり、図中右側に示す竪框２６が召合框２１２となっている。また、外障子２３では、図中左側に示す竪框２６が召合框２３１となり、図中右側に示す竪框２６が戸先框２３２となっている。中障子２２では、図中左側に示す竪框２６が内障子２１の召合框２１２に隣接する召合框２２１となり、図中右側に示す竪框２６が外障子２３の召合框２３１に隣接する召合框２２２となっている。このような召合框２２１，２２２は、複層ガラス２８の端部を呑込んでおり、召合框２２１，２２２の見付寸法Ｐ，Ｑは、複層ガラス２８の呑込寸法Ｒの略２倍となる寸法（例えば、４０ｍｍ以下）に形成されている。
【００２２】
図３，図４に示すように、網戸３０は、室内側に配置される内網戸３１と、室外側に配置される外網戸３２とを備え、各網戸３１，３２は、下枠１２に沿って水平方向に摺動自在に構成されている。各網戸３１，３２は、上框３４、下框３５、および左右の竪框３６（３６Ｌ，３６Ｒ）が四周框組みされた框体３７と、框体３７内に組み込まれる網３８とを備えている。図４に示すように、各網戸３１，３２の図中右側の竪框３６Ｒは、その見付寸法が外障子２３の戸先框２３２の見付寸法と略同一となるように形成されている。また、各網戸３１，３２の図中左側の竪框３６Ｌは、その見付寸法が外障子２３の召合框２３１の見付寸法と略同一となるように形成されている。従って、外障子２３の竪框２６と網戸３０の竪框３６の位置が、室内外方向に揃っているため、見た目がすっきりして、室内側からの開放感を向上できる。
【００２３】
図４に示すように、内網戸３１における左側の竪框３６Ｌの室内側の面と室外側の面には、それぞれ突起３１Ａ，３１Ｂが設けられている。また、外網戸３２における右側の竪框３６Ｒの室内側の面と室外側の面には、それぞれ突起３２Ａ，３２Ｂが設けられている。このため、外網戸３２を図中左方向へ閉じるように摺動させると、外網戸３２の竪框３６Ｒの室内側の面に設けられた突起３２Ａが、内網戸３１の竪框３６Ｌの室外側の面に設けられた突起３１Ｂに係合し、外網戸３２の摺動に伴って内網戸３１も左方向へ摺動して、図５に示すように網戸３０が閉じた状態となる。
【００２４】
また、図５に示すような網戸３０を閉じた状態から、内網戸３１を図中右方向へ開くように摺動させると、内網戸３１の竪框３６Ｌの室外側面に設けられた突起３１Ｂが、外網戸３２の竪框３６Ｒの室内側面に設けられた突起３２Ａに係合し、内網戸３１の摺動に伴って外網戸３２も右方向へ摺動する。そして、例えば、網戸３１，３２を少し摺動させた状態で、これらの網戸３１，３２を図中右方向へともに摺動させることにより、最終的には、図４に示すような網戸３０が開いた状態となる。このように、一方の網戸３０を摺動させると他方の網戸も連動して作用するため、網戸３０の開閉操作を簡単に行うことができる。
なお、網戸３１，３２の室内側の面と、室外側の面との両側に突起３１Ａ，３１Ｂ，３２Ａ，３２Ｂを設けたので、網戸３１，３２の左右勝手を替えた場合であっても、前記同様にこれらの網戸３１，３２の連動作用を奏することができる。
【００２５】
次に、枠体１０について詳説する。
図３に示すように、枠体１０の上枠１１には、それぞれ室内側から室外側に順次、各障子２１〜２３を摺動させるために、下方へ突出する第２レール１１Ａと、第３レール１１Ｂと、第１レール１１Ｃとが形成されている。また、上枠１１には、網戸３０を摺動させるために、下方へ突出するレール１１Ｘが形成されている。
また、下枠１２には、それぞれ室内側から室外側に順次、各障子２１〜２３に対応する位置に上方へ突出する突起１２Ａが形成され、突起１２Ａ上には、カバー部材１２１が取り付けられている。また、下枠１２には、網戸３０に対応する位置にレール部材１２２が取り付けられている。
【００２６】
カバー部材１２１の上部には、後述する戸車４５が摺動する突条部１２１Ａが形成されている。また、カバー部材１２１の側部にはシール材１２３が取り付けられ、シール材１２３が障子２１〜２３の下框２５に当接している。また、下枠１２において、突起１２Ａの両側には、床部材１２４が着脱自在にそれぞれ取り付けられている。床部材１２４は、その上面が平らかに形成され、前記上面と突条部１２１Ａとが略同じ高さ位置となるように構成されている。このような構成により、障子２１〜２３が摺動する床面を、上面がフラットで見た目がすっきりしたものにできて、バリアフリーにも対応できる。また、床部材１２４が着脱可能なため、床部材１２４を適宜取り外すことにより、下枠１２を簡単に清掃できる。
なお、本実施形態では、床面を平らかに構成するために、カバー部材１２１や床部材１２４を用いたが、下枠１２側にも、上枠１１側と同様に、各障子に対応するレールをそれぞれ設けて、これらのレール上を各障子が摺動する構成としてもよい。
【００２７】
図４に示すように、各縦枠１３には、互いに向き合う方向に突出する呑込部１３０がそれぞれ形成されている。室内側から見て、右側の縦枠１３Ｒの呑込部１３０Ｒは、外障子２３の戸先框２３２を呑込んでおり、左側の縦枠１３Ｌの呑込部１３０Ｌは、内障子２１の戸先框２１１を呑込んでいる。また、各呑込部１３０Ｒ，１３０Ｌは、建物２の開口部２Ａ近傍の壁体４に係合している。
【００２８】
呑込部１３０Ｒによる戸先框２３２の呑込寸法は、外障子２３の戸先框２３２の見付寸法と略同じである。また、呑込部１３０Ｌによる戸先框２１１の呑込寸法は、内障子２１の戸先框２１１の見付寸法と略同じである。このため、障子２０を閉じた状態では、室内から見て、戸先框２１１，２３２が縦枠１３内に程よく呑み込まれて隠れることとなり、複層ガラス２８を通した視界が拡がるため、室内側からの開放感が向上する。
【００２９】
また、各縦枠１３には、内障子２１の摺動箇所に対応する位置に設けられた第１ヒレ部１３１と、第１ヒレ部１３１よりも室外側に設けられた第２ヒレ部１３２とがそれぞれ形成されている。
図３の左側に示す縦枠１３Ｌにおいて、内障子２１を閉じた状態で、第１ヒレ部１３１は、内障子２１の戸先框２１１の後述する引寄片８０の溝部８０Ａに係合する。内障子２１の戸先框２１１には、内障子２１を閉じた状態で、縦枠１３Ｌに形成された第１ヒレ部１３１に当接するシール材１３７が設けられている。また、第２ヒレ部１３２には、シール材１３４が取り付けられ、内障子２１を閉じた際にシール材１３４と内障子２１の戸先側とが当接する。
【００３０】
一方、図４の右側に示す縦枠１３Ｒには、閉じた状態の外障子２３の戸先框２３２の室内側に、第１ヒレ部１３１および第２ヒレ部１３２を覆うようなアタッチメント部材１３３が着脱自在に取り付けられている。
【００３１】
アタッチメント部材１３３は、平面視略Ｆ字状に形成され、室内外方向に延びて、外障子２３の戸先框２３２の見込方向側の面と略面一となるように構成された被覆部１３３Ａを備えている。被覆部１３３Ａの室内側端部には、図中右側へ折り曲げられた係合部１３３Ｂが形成され、この係合部１３３Ｂが呑込部１３０Ｒに係合するとともに、被覆部１３３Ａから延びる２つの係合板１３３Ｃ，１３３Ｄが第１ヒレ部１３１、第２ヒレ部１３２に係合することでアタッチメント部材１３３が取り付けられている。
【００３２】
このような構成により、図１に示すように、外障子２３の戸先框２３２の室内側の面がアタッチメント部材１３３の被覆部１３３Ａによって殆ど隠れるため、見た目がすっきりとし、室内側からの開放感をさらに向上できる。
【００３３】
また、縦枠１３（１３Ｒ，１３Ｌ）には、外障子２３の摺動箇所に対応する位置に第３ヒレ部１３５がそれぞれ形成されている。図４の右側に示す縦枠１３Ｒにおいて、外障子２３を閉じた状態で、第３ヒレ部１３５は、外障子２３の戸先框２３２の後述する引寄片８０の溝部８０Ａに係合する。また、外障子２３の戸先框２３２には、外障子２３を閉じた状態で、縦枠１３Ｒに形成された第３ヒレ部１３５に当接するシール材１３６が取り付けられている。
【００３４】
以上のように、アタッチメント部材１３３やシール材１３４は、いずれか一方の縦枠１３側にのみ設けられている。このため、例えば、図６に示すように、アタッチメント部材１３３やシール材１３４を他方の縦枠１３側に付け替えることにより、建物２から枠体１０を取り外すことなく、当該枠体１０を使用したまま、障子２０を左右勝手の異なる障子に交換するだけで、比較的簡単に障子の左右勝手を替えることができる。
【００３５】
次に、障子２０について詳説する。
図３に示すように、各障子２１〜２３の上框２４の上部には、シール材２９を介してレール１１Ａ，１１Ｂ，１１Ｃに当接する溝部２４Ａが形成されている。また、溝部２４Ａには、左右の竪框２６側の端部に上側摺動片（図示略）がそれぞれ設けられ、これらの２つの上側摺動片はレール１１Ａ，１１Ｂ，１１Ｃに係合している。また、下框２５下側の左右の竪框２６側の端部にも、下側摺動片（図示略）がそれぞれ設けられている。これらの２つの下側摺動片は、カバー部材１２１の突条部１２１Ａに係合している。前記上側摺動片とレール１１Ａ，１１Ｂ，１１Ｃの係合と、前記下側摺動片と突条部１２１Ａの係合とにより、各障子２１〜２３の見付方向への振動が防止されている。
【００３６】
図３，図４に示すように、中障子２２の上框２４には、３枚の障子２１〜２３を連動して摺動させるための連動部材５０が設けられている。また、図３に示すように、各障子２１〜２３の下框２５には、溝部２５Ａが形成されている。下框２５の溝部２５Ａの位置には、下枠１２に設けられたカバー部材１２１の突条部１２１Ａに沿って回転する戸車４５が設けられている。下枠１２に設けられたカバー部材１２１の突条部１２１Ａに沿って、戸車４５が回転することにより、障子２０を、図４に示す閉じた状態と、図５に示す開いた状態との間で滑らかに移動させることができる。
【００３７】
図７は、連動部材５０を示す横断面図である。図７に示すように、連動部材５０は、上框２４内に収容される本体５１と、本体５１の両端にそれぞれ取り付けられたリール５２と、リール５２間に掛け渡されたリング状のワイヤ５３と、ワイヤ５３に固着された第１および第２の軸部材としての誘導軸部材５４（５４Ａ，５４Ｂ）とを備えている。一方の誘導軸部材５４Ａは外障子２３側に突出し、他方の誘導軸部材５４Ｂは内障子２１側に突出している。これらの誘導軸部材５４は、誘導軸部材５４Ａが図中右側のリール５２近傍に位置する場合には、誘導軸部材５４Ｂが図中左側のリール５２の近傍に位置するように、ワイヤ５３に固着されている。なお、本体５１、リール５２、およびワイヤ５３が請求項の連動機構に対応している。
【００３８】
従って、例えば、一方の誘導軸部材５４Ａが図中の左方向に移動すると、リール５２間に掛け渡されたワイヤ５３が回転し、ワイヤ５３に固着された、他方の誘導軸部材５４Ｂが図中の右方向に移動する。誘導軸部材５４Ａは、外障子２３の召合框２３１に設けられた受部材６０（６０Ｒ）に係合し、誘導軸部材５４Ｂは、内障子２１の召合框２１２に設けられた受部材６０（６０Ｌ）に係合する。
【００３９】
次に、連動部材５０の誘導軸部材５４Ａ，５４Ｂと、受部材６０Ｒ，６０Ｌとの係合部分について説明する。図８は、誘導軸部材と受部材との係合部分（図４のＸ部）を示す横断面図である。図９は、前記係合部分を室内側から見た斜視図である。
図８，図９に示すように、誘導軸部材５４Ａは、断面略円形状の軸部材本体９１と、軸部材本体９１の先端側の外周の一部が外周方向に張り出した張出部９２とにより構成されている。一方、受部材６０Ｒには、開口部９３が形成されている。図９に示すように、開口部９３は、矩形状の保持部９３Ａと、保持部９３Ａから下方に向かって拡がるように形成された挿入部９３Ｂとにより構成され、開口部９３の周囲の縁部が、挿入部９３Ｂから保持部９３Ａに向かってその開口寸法を狭めるテーパ部９５となっている。
【００４０】
保持部９３Ａの図９中の左右方向の寸法Ｕは、軸部材本体９１の外形寸法Ｓよりも大きく、かつ、張出部９２の外形寸法Ｔより小さな寸法である。また、挿入部９３Ｂは、張出部９２の縦断面寸法よりも大きな寸法で形成されている。このため、誘導軸部材５４Ａを挿入部９３Ｂに挿入して、この誘導軸部材５４Ａを上部側の保持部９３Ａ側へと移動させると、軸部材本体９１がテーパ部９５に沿って上方の保持部９３Ａへと案内され、張出部９２が保持部９３Ａの周縁部の裏側に配置されて互いに係合することにより、誘導軸部材５４Ａが開口部９３から離脱不能となっている。このため、誘導軸部材５４Ａが設けられた中障子２２と受部材６０Ｒが設けられた外障子２３とが、互いに見込み方向に引き寄せ合うことになる。
【００４１】
ところで、枠体１０（図３）に中障子２２を建て込む場合には、中障子２２の上框２４に設けられた溝部２４Ａに対してレール１１Ｂを係合させるために、中障子２２を上方へと持ち上げる必要がある。この際、外障子２３に設けられた受部材６０Ｒの挿入部９３Ｂに、中障子２２に設けられた誘導軸部材５４Ａを挿入しつつ中障子２２を上方に持ち上げると、テーパ部９５によって軸部材本体９１が上方へ案内されるため、誘導軸部材５４Ａと受部材６０Ｒとを係合させつつ、中障子２２を枠体１０に簡単に建て込むことができる。
【００４２】
また、図１０は、誘導軸部材５４Ｂと受部材６０Ｌとの係合部分を室外側から見た斜視図（図４のＹ部）である。図１０に示すように、誘導軸部材５４Ｂは、誘導軸部材５４Ａと同様に、断面略円形状の軸部材本体９１と、軸部材本体９１の先端の一部が外周側に張り出した張出部９２とにより構成されている。また、受部材６０Ｌには、開口部９４が形成されている。開口部９４は、図１２の開口部９３を上下逆さまに形成したものであり、その寸法や外形は開口部９３と同じである。つまり、開口部９４は、矩形状の保持部９４Ａと、保持部９４Ａから上方に向かって拡がるように形成された挿入部９４Ｂとにより構成され、開口部９４の周囲の縁部が、挿入部９４Ｂから保持部９４Ａに向かってその開口寸法を狭めるテーパ部９６となっている。
【００４３】
枠体１０に内障子２１を建て込む場合には、内障子２１の上框２４に設けられた溝部２４Ａにレール１１Ａを係合させるために、内障子２１を上方へと持ち上げる必要がある。この際、中障子２２側に設けられた誘導軸部材５４Ｂを、内障子２１側に設けられた受部材６０Ｌの挿入部９４Ｂに挿入しつつ内障子２１を持ち上げると、軸部材本体９１がテーパ部９６によって下方の保持部９４Ａへ案内されて、張出部９２が保持部９４Ａの周縁部の裏側に配置されて互いに係合することにより、誘導軸部材５４Ａが開口部９３から離脱不能となっている。このため、誘導軸部材５４Ｂと受部材６０Ｌとを係合させつつ、内障子２１を枠体１０に簡単に建て込むことができる。このように、張出部９２が保持部９４Ａの周縁部の裏側に配置されることにより、内障子２１と中障子２２とが互いに見込み方向に引き寄せ合うようになっている。
【００４４】
次に、連動部材５０の動作について説明する。図１１は、連動部材５０によって障子２１〜２３が連動して動く様子を模式的に示す横断面図であり、（Ａ）は３枚の障子２１〜２３により室内外空間を連通する開口部を閉じた状態を、（Ｂ）は開口部の一部を開いた状態を、（Ｃ）は開口部を閉じた状態を示している。
【００４５】
図１１（Ａ）に示す障子２１〜２３を閉じた状態から、図１１（Ｂ）に示すように、内障子２１を矢印Ａの方向に摺動させると、誘導軸部材５４Ｂが矢印Ａの方向に移動して、リール５２間に掛け渡されたワイヤ５３が回転し、誘導軸部材５４Ａが矢印Ｂの方向に移動する。誘導軸部材５４Ａが矢印Ｂの方向に移動すると、外障子２３が固定された状態となっていることから、中障子２２が矢印Ａの方向に移動する。従って、内障子２１と中障子２２とが、図中の矢印Ａの方向に移動して、最終的には、図１１（Ｃ）に示すように、３枚の障子２１〜２３が重なった状態となり、図５に示す開放状態となる。
【００４６】
逆に、図５に示す開放状態から、内障子２１を図１１の矢印Ｂの方向に摺動させると、連動部材５０が前述とは逆向きに作用して、図４に示す完全に閉じられた状態となる。このような連動部材５０により、内障子２１を摺動させるだけで、中障子２２を連動して摺動させることができ、障子２０の開閉が容易となる。
【００４７】
図１２は、図４のＩＸ−ＩＸ断面図である。図１２に示すように、中障子２２の召合框２２２には、室内側に突出する突出部６１が一体的に形成されている。突出部６１には、上側に溝部６１Ａが形成されている。溝部６１Ａには、内障子２１を摺動させるためのレール１１Ａが係合している。このため、図２に示すように、突出部６１を含む召合框２２２が２つのレール１１Ａ，１１Ｂに跨るように配置される。このように召合框２２２に突出部６１を形成して、召合框２２２の強度を高めている。また、溝部６１Ａと内障子２１用のレール１１Ａとを係合させることにより、召合框２２２の室内外方向への強度が向上して、中障子２２の耐風性を向上できる。
【００４８】
なお、本実施形態では、中障子２２の召合框２２２のみに突出部６１を設けたが、中障子２２の召合框２２１に、室外側に突出するとともに、上側に溝部が形成された突出部を形成し、この溝部と外障子２３用のレール１１Ｃとを係合させて、召合框２２１の強度を向上させてもよい。
【００４９】
図１２に示すように、上枠１１には、中障子２２用のレール１１Ｂと、外障子２３用のレール１１Ｃとの間に風止板７０が取り付けられている。
図１３は、風止板７０を示す斜視図である。図１３に示すように、風止板７０は、上枠１１に取り付けられる上板７１と、上板７１の長手方向に間隔を開けて立設された複数の風止板本体７２と、上板７１の幅方向の両端部にそれぞれ立設された２つのヒレ部７３とを備えている。風止板本体７２は、中障子２２の上框２４と外障子２３の上框２４とに当接し、上枠１１と障子２２，２３との隙間からの風の侵入や音もれ等を防止している。
【００５０】
図１２に示すように、室外側のヒレ部７３（７３Ａ）は、外障子２３の上框２４に取り付けられた上側摺動片６２の溝部に係合し、室内側のヒレ部７３（７３Ｂ）は、中障子２２の上框２４に取り付けられた上側摺動片６３の溝部に係合している。このようなヒレ部７３と上側摺動片６２，６３との係合により、障子２０の室内外方向へのがたつきを防止できる。
【００５１】
なお、図示を省略するが、中障子２２用のレール１１Ｂと、内障子２１用のレール１１Ａとの間にも風止板７０が取り付けられている。また、同様に、下枠１２にも風止板７０が取り付けられている。
【００５２】
また、図４に示すように、内障子２１の戸先框２１１には、引寄片８０が取り付けられている。引寄片８０は、戸先框２１１の長手方向に沿って、間隔を開けて複数取り付けられている。引寄片８０には、内障子２１を閉じた際に、縦枠１３Ｌの第１ヒレ部１３１を収納し係合する溝部８０Ａが形成されている。これにより、縦枠１３Ｌから内障子２１が勝手に開いてしまうことを防止できる。
【００５３】
本実施形態によれば、以下のような効果がある。
(１)外障子２３に設けられた受部材６０Ｒの挿入部９３Ｂに、中障子２２に設けられた誘導軸部材５４Ａを挿入しつつ中障子２２を上方に持ち上げると、軸部材本体９１がテーパ部９５によって上方に案内されるため、誘導軸部材５４Ａと受部材６０Ｒとが係合した状態で、中障子２２を枠体１０に簡単に建て込むことができる。また、誘導軸部材５４Ｂを受部材６０Ｌの挿入部９４Ｂに挿入しつつ内障子２１を持ち上げるだけで、軸部材本体９１がテーパ部９６によって案内されて張出部９２と保持部９４Ａの周縁とが係合し、誘導軸部材５４Ｂと受部材６０Ｌとが係合した状態で、内障子２１を枠体１０に簡単に建て込むことができる。このため、連動部材５０による連動機構が作用できる状態としつつ、障子２２，２３を枠体１０に対して簡単に建て込むことができる。
【００５４】
(２)張出部９２が保持部９３Ａの周縁部の裏側に配置されることにより、誘導軸部材５４Ａが設けられた中障子２２と受部材６０Ｒが設けられた外障子２３とが互いに引き寄せ合うようになり、中障子２２の見込み方向へのがたつきを防止できて、中障子２２の耐風性を向上できる。同様に、張出部９２が保持部９４Ａの周縁部の裏側に配置されることにより、内障子２１と中障子２２とが引き寄せ合うようになり、内障子２１の見込み方向へのがたつきも防止できて、内障子２１の耐風性を向上できる。
【００５５】
(３)縦枠１３Ｒにおける内障子２１の摺動箇所に対応する位置に、縦枠１３Ｒの内側面を覆うとともに、その表面が外障子２３の戸先框２３２の見込方向側の面と略面一となるアタッチメント部材１３３を取り付けたので、アタッチメント部材１３３によって、縦枠１３Ｒの内側面や外障子２３の戸先框２３２における呑込部１３０側の面が殆ど隠れるため、室内の開放感をさらに向上できる。
【００５６】
(４)外障子２３の戸先框２３２が縦枠１３Ｒ内に収納されると、戸先框２３２の見付寸法と縦枠１３Ｒの呑込寸法とが略同一であることから、外障子２３を閉じた際に戸先框２３２が縦枠１３Ｒ内に程よく収納されて隠れるようになる。このため、障子２０を閉じた状態で、室内側から室外を眺めたときに、視界を遮る框部分が小さくなるため、室内側からの開放感をより一層向上できる。
【００５７】
(５)召合框２２１，２２２の見付寸法Ｐ，Ｑが、複層ガラス２８の呑込寸法Ｒの略２倍となる寸法で、かつ４０ｍｍ以下となるようにしたので、一般的な召合框の場合に比べて小さくなるため、障子２０に対する召合框２２１，２２２の占める割合が小さくなって、室内側からの開放感をより一層向上できる。
【００５８】
(６)各網戸３１，３２の竪框３６Ｒの見付寸法が外障子２３の戸先框２３２の見付寸法と略同一となるように形成するとともに、各網戸３１，３２の竪框３６Ｌの見付寸法が外障子２３の召合框２３１の見付寸法と略同一となるように形成したので、外障子２３の竪框２６と網戸３０の竪框３６の位置が、室内外方向に揃っているため、見た目がすっきりして、室内側からの開放感を向上できる。
【００５９】
(７)内網戸３１に突起３１Ｂを設けるとともに、外網戸３２に突起３２Ａを設けて、内網戸３１を閉じる際や外網戸３２を開く際に、これらの突起３１Ｂ，３２Ａが係合して他方の網戸３１，３２も摺動させるようにしたので、一方の網戸３１，３２を摺動させるだけで、他方の網戸３１，３２も連動させることができ、網戸３０の開閉操作を簡単に行うことができる。また、網戸３１，３２には、前記突起３１Ｂ，３２Ａの反対側面の同位置にも同様の突起３１Ａ，３２Ｂを設けたので、網戸３１，３２の左右勝手を替えた場合であっても、前記同様にこれらの網戸３１，３２の連動作用を奏することができる。
【００６０】
(８)中障子２２に連動部材５０を備えたので、内障子２１を閉じるように摺動させると、それに伴って中障子２２が連動して摺動するため、内障子２１を操作するだけで、簡単に障子２０の開閉を行うことができる。
【００６１】
(９)中障子２２において、召合框２２２に突出部６１を形成して、突出部６１の溝部６１Ａと内障子２１用のレール１１Ａとを係合させたので、召合框２２２の室内外方向への強度が向上して、中障子２２の耐風性を向上できる。
【００６２】
(10)中障子２２用のレール１１Ｂと、外障子２３用のレール１１Ｃとの間に風止板７０を取り付け、風止板７０のヒレ部７３（７３Ａ）を、外障子２３の上框２４に取り付けられた上側摺動片６２の溝部に係合させるとともに、風止板７０のヒレ部７３（７３Ｂ）を、中障子２２の上框２４に取り付けられた上側摺動片６３の溝部に係合させるようにしたので、ヒレ部７３と上側摺動片６２，６３との係合により、障子２０の見込み方向へのがたつきを防止できる。
【００６３】
(11)いずれの縦枠１３Ｒ，１３Ｌにも、ヒレ部１３１，１３２，１３５を形成し、例えば、一方の縦枠１３（１３Ｒ）については、第１ヒレ部１３１および第２ヒレ部１３２にアタッチメント部材１３３を取り付け、また、他方の縦枠１３（１３Ｌ）については、第２ヒレ部１３２にシール材１３４を取り付けている。このため、アタッチメント部材１３３やシール材１３４を反対側の縦枠１３に付け替えることにより、建物２から枠体１０を取り外すことなく、当該枠体１０を使用したまま、左右勝手の異なる障子に交換するだけで、障子２０の左右勝手を簡単に替えることができる。
【００６４】
(12)この際、外障子２３を固定した状態としたので、第３ヒレ部１３５が外障子２３の機能を阻害することがなく、また、第１ヒレ部１３１や第２ヒレ部１３２は、アタッチメント部材１３３で被覆するようにしたので、内障子２１が図４中の右側に摺動しても、内障子２１の召合框２１２がアタッチメント部材１３３の表面に当接するため、前記ヒレ部１３１，１３２が内障子２１の摺動を阻害することもない。従って、左右の縦枠１３Ｌ，１３Ｒのそれぞれに、ヒレ部１３１，１３２，１３５を設けても、内障子２１や外障子２３の機能を阻害することがなく、当該枠体１０を用いて、左右勝手の異なる障子にも簡単に対応できる。
【００６５】
［第２実施形態］
次に、本発明の第２実施形態に係る引戸について説明する。本実施形態の引戸３は、前記第１実施形態とは、誘導軸部材や受部材の構成、各障子の建て込み方等が相違している。このため、これらの相違点を中心に以下説明する。なお、前記第１実施形態と同様または相当する構成品には、同じ符号を付してその説明を省略または簡略化する。
【００６６】
図１４は、中障子２２に設けられた誘導軸部材５４Ａと、外障子２３に設けられた受部材６０Ｒとの係合部分を拡大して示す横断面図である。なお、本実施形態の誘導軸部材５４Ａ，５４Ｂは、前記第１実施形態とは異なり、軸部材本体９１のみを備え、軸部材本体９１には前述した張出部は形成されていない。また、受部材６０Ｒ，６０Ｌの開口部９３は、軸部材本体９１の外形よりも大きな略円形状に形成され、開口部９３には、前記軸部材本体９１を挿入できる。
【００６７】
図１４に示すように、中障子２２の召合框２２２には、誘導軸部材５４Ａを受部材６０Ｒに対して進退させる進退機構４００が設けられている。召合框２２２には、図中左右側の面２２２Ａ，２２２Ｂに、図１４中の上下方向（見込方向）に延びる長孔２２２Ｘがそれぞれ形成されている。進退機構４００は、前記２つの長孔２２２Ｘを貫通するとともに、その先端が誘導軸部材５４Ａに取り付けられた軸部材４１０と、軸部材４１０を操作するつまみ４２０とを備えている。軸部材４１０は、長孔２２２Ｘの延びる方向に沿って移動可能である。つまみ４２０は、例えば、召合框２２２における図中の右側の面２２２Ａに設けられ、外部から操作可能である。なお、つまみ４２０を移動させて進退させる構成としたが、例えば、つまみをボタン式として、ボタンを押すことにより、軸部材４１０が進退できるような構成としてもよく、進退する機構は特に限定されない。
【００６８】
このような進退機構４００では、つまみ４２０を操作して、軸部材４１０を進退させることにより、誘導軸部材５４Ａを外障子２３に対して進退させることができる。このため、外障子２３に設けられた受部材６０Ｒの開口部９３に対して誘導軸部材５４Ａを進退させて、簡単に、中障子２２と外障子２３とを係合または離脱した状態とすることができる。
【００６９】
なお、図示を省略するが、中障子２２の召合框２２１にも前記進退機構４００が設けられ、この進退機構４００により、中障子２２から内障子２１に向けて突出する誘導軸部材５４Ｂを受部材６０Ｌに対して進退させることができる。このため、簡単に、内障子２１と中障子２２とを係合させた状態とすることができる。
【００７０】
次に、引戸３において、各障子２１〜２３を枠体１０に建て込む様子について説明する。図１５〜図１９は、枠体１０に各障子２１〜２３を建て込む様子を示す横断面図である。図１５に示すように、まず、枠体１０に外障子２３を建て込み、図中の右端に固定した状態としておく。次に、図１６に示すように、枠体１０に中障子２２を建て込む。そして、図１７に示すように、中障子２２の召合框２２２が外障子２３の召合框２３１に正対するように中障子２２を移動させる。なお、この際、誘導軸部材５４Ａ（図１８）を中障子２２内に引っ込めた状態としておく。
【００７１】
次に、図１８に示すように、中障子２２の図中右側の召合框２２２に設けられた進退機構４００の前記つまみを操作して、誘導軸部材５４Ａを開口部９３に係合させることにより、中障子２２と外障子２３とを連結した状態とする。最後に、図１９に示すように、枠体１０に内障子２１を建て込んでから、中障子２２の図１９中左側の召合框２２１に設けられた前記進退機構のつまみを操作して、誘導軸部材５４Ｂを開口部９３に係合させることにより、内障子２１と中障子２２とを連結した状態とする。以上のような手順により、障子２１〜２３を連結させた状態とすることができて、障子２１〜２３連動して開閉することができる。
【００７２】
本実施形態によれば、前記実施形態の(３)〜(12)と同様の効果に加えて、以下の効果を奏することができる。
(13)枠体１０に中障子２２を建て込んでから、中障子２２の召合框２２１に設けられた進退機構４００のつまみ４２０を操作して、誘導軸部材５４Ａを開口部９３に係合させることにより、中障子２２と外障子２３を連結した状態とすることができる。同様に、内障子２１を建て込んでから、中障子２２の召合框２２２に設けられた進退機構４００により、誘導軸部材５４Ｂを開口部９３に係合させて、内障子２１と中障子２２を連結した状態にできる。このため、連動部材５０による連動機構が作用できる状態としつつ、各障子２１〜２３を枠体１０に対して簡単に建て込むことができる。
【００７３】
［第３実施形態］
本発明の第３実施形態に係る引戸について説明する。本実施形態の引戸５は、前記第１実施形態とは、誘導軸部材の構成が相違し、受部材６０Ｒの構成は略同じである。図２０は、中障子２２に設けられた誘導軸部材５００と、外障子２３に設けられた受部材６０Ｒとの係合部分を示す横断面図である。図２１は、前記係合部分を室内側から見た斜視図である。図２０，図２１に示すように、誘導軸部材５００は、断面略円形状の軸部材本体５１０を備え、軸部材本体５１０の外周には、例えば周状の溝部５１０Ａが形成されている。
【００７４】
このような誘導軸部材５００において、外障子２３に設けられた受部材６０Ｒの挿入部９３Ｂに、中障子２２に設けられた誘導軸部材５００を挿入しつつ中障子２２を上方に持ち上げると、軸部材本体５１０がテーパ部９５によって上の保持部９３Ａへと案内され、受部材６０Ｒの保持部９３Ａの縁部が溝部５１０Ａに入り込む。このため、中障子２２と外障子２３連結した状態としつつ、中障子２２を枠体１０に簡単に建て込むことができる。なお、本実施形態では、説明を省略するが、内障子２１の受部材と中障子２２の誘導軸部材との係合部分においても、略同様の構成となっている。
【００７５】
本実施形態によれば、前記実施形態の(３)〜(12)と同様の効果に加えて、以下の効果を奏することができる。
(14)前述したように、受部材６０Ｒの挿入部９３Ｂに誘導軸部材５００を挿入しつつ中障子２２を上方に持ち上げると、軸部材本体５１０がテーパ部９５によって上方へと案内されて、溝部５１０Ａが受部材６０Ｒの保持部９３Ａの端縁に係合するため、中障子２２と外障子２３と連結した状態としつつ、中障子２２を枠体１０に簡単に建て込むことができる。
【００７６】
(15)溝部５１０Ａに保持部９３Ａの端部が入り込むことにより、誘導軸部材５４Ａが設けられた中障子２２と受部材６０Ｒが設けられた外障子２３とが互いに引き寄せ合うようになり、中障子２２の見込み方向へのがたつきを防止できて、中障子２２の耐風性を向上できる。
【００７７】
なお、本発明は、前記実施形態には限定されない。例えば、前記第１実施形態では、誘導軸部材５４Ａ，５４Ｂのそれぞれに張出部９２を設ける構成としたが、いずれか一方の誘導軸部材にのみ張出部を設ける構成としてもよい。また、前記第３実施形態では、誘導軸部材５４Ａ，５４Ｂのそれぞれに溝部５１０を設ける構成としたが、いずれか一方の誘導軸にのみ溝部を設ける構成としてもよい。また、いずれか一方の軸部材に前記張出部を設けるとともに、他方の軸部材に前記溝部を設ける構成としてもよい。
【００７８】
また、前記第２実施形態では、誘導軸部材５４Ａ，５４Ｂのそれぞれに対応する進退機構４００を設ける構成としたが、いずれか一方の誘導軸部材にのみ進退機構を設ける構成としてもよい。
【００７９】
また、前記各実施形態では、内障子２１および外障子２３に開口部９３，９４を有する受部材６０（６０Ｒ，６０Ｌ）を設けていたが、受部材６０を設けずに、直接、各障子２１，２３に開口部を形成する構成としてもよい。
【００８０】
また、例えば、図２２は、中障子２２と外障子２３との召合せ部分を拡大して示す横断面図である。図２２に示すように、中障子２２の召合框２２２にスペーサ１００を取り付け、スペーサ１００が外障子２３の召合框２３１の室内側の面を室外側へと付勢する構成としてもよい。このような構成によれば、障子２０の室内外方向へのがたつきを抑えることができる。
【００８１】
さらに、前記上側摺動片および前記下側摺動片に、図２２に示すような突起部４１をそれぞれ形成し、障子２０を閉じた際に、突起部４１が、中障子２２の右側の煙返部２２Ｘと外障子２３の煙返部２３Ｘとの間の上下位置に介装されるようにしてもよい。また、図示を省略するが、中障子２２の左側部分についても同様に、前記内障子の煙返部２２と中障子の煙返部との間の上下位置に前記突起部が介装されるようにしてもよい。このような構成によれば、障子２０を閉じた際に、煙返部２２Ｘ，２３Ｘ間のクリアランスに突起部４１が介装されて、各クリアランス部分がその上下位置において塞がれるため、各障子２１〜２３の見付方向へのがたつきを抑えることができる。
【００８２】
また、図２３は、前記引戸の下側を示す縦断面図である。図２４は、前記引戸を部分的に示す横断面図である。図２３，図２４に示すように、下枠１２の、中障子２２に対応する位置にストッパ部材１１０を取り付けてもよい。ストッパ部材１１０は、障子２０を閉じた際に、中障子２２の下框２５に当接し、中障子２２の下框２５を図１３中の右側へ付勢する。このような構成により、障子２０を閉じた際に、内障子２１の煙返部と中障子２２の煙返部との間に形成されるクリアランスを小さくすることができて、障子２０の見付方向へのがたつきを抑えることができる。
【００８３】
また、前記実施形態では、引戸１を三連戸として構成したが、図２５に示すように、前記実施形態と同じ枠体１０を用いて、２枚の障子１０２，１０３と、１枚の網戸１０４とを備える引違戸１０１としてもよい。このような引違戸１０１では、障子１０２，１０３を、前記実施形態の内障子２１と外障子２３に対応する箇所に配置し、中障子２２に対応する箇所では、障子１０２に設けられた突出部１０２Ａが前記レールに係合するように各障子１０２，１０３を構成すればよい。このような構成とすることにより、枠体１０を替えることなく、障子や網戸を交換するだけで、簡単に三連戸を引違戸に変更することができる。なお、本発明では、障子や網戸の枚数は、前記実施形態や変形例の枚数に限定されず、４枚戸等としてもよい。
【００８４】
前記実施形態では、中障子２２の召合框２２１に突出部を設け、この突出部に溝部を形成して、溝部と隣のレールとが係合する構成としたが、例えば、図２６，図２７に示す引違戸１４０として構成してもよい。図２６は、引違戸１４０を示す横断面図であり、図２７は、引違戸１４０を示す縦断面図である。図２６，図２７に示すように、引違戸１４０は、２枚の障子１４１，１４２と、枠体１４３とを備えている。外障子１４２には、室内側へ突出する突出部１４４が形成され、突出部１４４の上部には溝部１４４Ａが形成されている。また、枠体１４３の上枠１４５において、外障子１４２の上框１４６の召合せ部分の位置には、補強部１４７が取り付けられている。補強部１４７は、障子１４１，１４２を閉じた際に、突出部１４４の溝部１４４Ａと補強部１４７とが係合して、各障子１４１，１４２の召合せ部分となる竪框１４８を室内外方向に拘束している。また、同様に、枠体１４３の下枠１４９にも補強部１５０が取り付けられ、各障子１４１，１４２の召合せ部分となる竪框１４８を室内外方向に拘束している。なお、前記補強部１４７，１５０を召合せ部分にのみ設けたが、縦枠間に亘って延びるように構成してもよい。
【図面の簡単な説明】
【００８５】
【図１】本発明の第１実施形態に係る引戸を室内側斜め上方から眺めた様子を示す斜視図である。
【図２】前記引戸を室内側斜め下方から眺めた様子を部分的に示す斜視図である。
【図３】前記引戸を示す縦断面図である。
【図４】前記引戸を示す横断面図であり、障子を閉じた状態を示している。
【図５】前記引戸を示す横断面図であり、障子を開いた状態を示している。
【図６】前記引戸において、障子の左右勝手を替えた様子を示す横断面図である。
【図７】連動部材を示す横断面図である。
【図８】誘導軸部材と外障子の受部材との係合部分を示す横断面図である。
【図９】前記係合部分を室内側から見た斜視図である。
【図１０】誘導軸部材と内障子の受部材との係合部分を室外側から見た斜視図である。
【図１１】連動部材によって障子が連動して動く様子を模式的に示す横断面図であり、（Ａ）は３枚の障子により室内外空間を連通する開口部を閉じた状態を、（Ｂ）は開口部の一部を開いた状態を、（Ｃ）は開口部を閉じた状態を示している。
【図１２】図４のＩＸ−ＩＸ断面図である。
【図１３】風止板を示す斜視図である。
【図１４】本発明の第２実施形態において、中障子に設けられた誘導軸部材と、外障子に設けられた受部材との係合部分を拡大して示す横断面図である。
【図１５】枠体に各障子を建て込む様子を示す横断面図である（その１）。
【図１６】枠体に各障子を建て込む様子を示す横断面図である（その２）。
【図１７】枠体に各障子を建て込む様子を示す横断面図である（その３）。
【図１８】枠体に各障子を建て込む様子を示す横断面図である（その４）。
【図１９】枠体に各障子を建て込む様子を示す横断面図である（その５）。
【図２０】本発明の第３実施形態において、中障子に設けられた誘導軸部材と、外障子に設けられた受部材との係合部分を示す横断面図である。
【図２１】前記第３実施形態において、前記係合部分を室内側から見た斜視図である。
【図２２】本発明の第１の変形例において、中障子と外障子との召合せ部分を拡大して示す横断面図である。
【図２３】本発明の第２の変形例において、引戸の下側を示す縦断面図である。
【図２４】前記第２の変形例に係る引戸を部分的に示す横断面図である。
【図２５】本発明の第３の変形例において、引戸を示す横断面図である。
【図２６】本発明の第４の変形例において、引戸を示す横断面図である。
【図２７】前記第４の変形例に係る引戸を示す縦断面図である。
【符号の説明】
【００８６】
１，３，５    引戸
１０    枠体                      １１    上枠
１２    下枠                      １３    縦枠
２０    障子                      ２１    内障子
２２    中障子                    ２３    外障子
２４    上框                      ２５    下框
２６    竪框                      ２７    框体
５０    連動部材                  ５１    本体（連動機構）
５２    リール（連動機構）        ５３    ワイヤ（連動機構）
５４（５４Ａ，５４Ｂ）    誘導軸部材（軸部材）
６０（６０Ｌ，６０Ｒ）    受部材
９１    軸部材本体                ９２    張出部
９３，９４    開口部              ９３Ａ，９４Ａ    保持部
９３Ｂ，９４Ｂ    挿入部          ９５，９６    テーパ部
４００    進退機構                ５００    誘導軸部材
５１０    軸部材本体              ５１０Ａ  溝部
【図１】
2006104881.tif 000003
【図２】
2006104881.tif 000004
【図３】
2006104881.tif 000005
【図４】
2006104881.tif 000006
【図５】
2006104881.tif 000007
【図６】
2006104881.tif 000008
【図７】
2006104881.tif 000009
【図８】
2006104881.tif 000010
【図９】
2006104881.tif 000011
【図１０】
2006104881.tif 000012
【図１１】
2006104881.tif 000013
【図１２】
2006104881.tif 000014
【図１３】
2006104881.tif 000015
【図１４】
2006104881.tif 000016
【図１５】
2006104881.tif 000017
【図１６】
2006104881.tif 000018
【図１７】
2006104881.tif 000019
【図１８】
2006104881.tif 000020
【図１９】
2006104881.tif 000021
【図２０】
2006104881.tif 000022
【図２１】
2006104881.tif 000023
【図２２】
2006104881.tif 000024
【図２３】
2006104881.tif 000025
【図２４】
2006104881.tif 000026
【図２５】
2006104881.tif 000027
【図２６】
2006104881.tif 000028
【図２７】
2006104881.tif 000029